(57)【要約】【課題】  画像を拡大又は縮小しても、ネームが常にきれいな状態を維持することを可能とする。【解決手段】  ネーム原稿１１３を基にネーム入力作業により文字が文字コードで表されたマーク付きネームデータ１１５を生成する。これをマーク／タグ変換部１１７でタグ付きネームデータ１１８に変換する。ネーム流し込み部１１９は、ネームを挿入するべきテキストボックスを生成し、タグ付きネームデータ１１８を基に、そのテキストボックスにネームを挿入する。また、ネーム流し込み部１１９は、テキストボックスに縦横過不足無くネームが収まるようにテキストボックスの大きさを調整する。【選択図】        図１
2005004738.tif 000002
【特許請求の範囲】
【請求項１】
各段落のネームを構成する文字並びに各段落についての段落スタイルを指定するためのタグ及び少なくとも一部の文字についての文字属性を指定するためのタグが記述されたタグ付きネームデータを基に、各段落のネームを挿入するための各テキストボックスを作成し、タグを参照して文字属性及び行属性を付与しつつ前記各テキストボックスに各段落のネームの文字を挿入し、前記文字属性及び前記行属性を参照して前記各テキストボックスに挿入された各段落のネームがそのテキストボックスに縦横過不足無く収まるようにそのテキストボックスの大きさを調整し、各テキストボックスをそれに挿入されたネームが記載されるべきページに配置するネーム流し込み手段を備えることを特徴とする編集システム。
【請求項２】
請求項１に記載の編集システムにおいて、
前記ネーム流し込み手段は、
前記テキストボックスの大きさを調整する際に、ルビ又は圏点を含まない行の行送り量を、当該行に含まれる最大サイズの文字のサイズに第１の所定の比率を乗じた量又は段落スタイルに記述されている行送り量とし、ルビ又は圏点を含む行の行送り量を、所定の場所に記述されている行送り量又はルビ若しくは圏点がない行の行送り量とすることを特徴とする編集システム。
【請求項３】
請求項１に記載の編集システムにおいて、
前記段落スタイルの内容が記述されたテンプレート及びマークとタグの対応関係が記述された変換テーブルを参照して、各段落のネームを構成する文字並びに少なくとも一部の段落についての段落スタイル名及び少なくとも一部の文字についての文字属性を指定するためのマークが記述されたマーク付きネームデータを、前記タグ付きネームデータに変換するマーク／タグ変換手段を更に備えることを特徴とする編集システム。
【請求項４】
請求項３に記載の編集システムにおいて、
前記マーク付きネームデータには、少なくとも一部の段落については、各段落の組方向を表すマークが記述されており、
前記マーク／タグ変換手段は、前記組方向を表すマークを前記タグ付きネームデータに追加し、
前記ネーム流し込み手段は、前記組方向を表すマークに従って前記テキストボックスの組方向を設定することを特徴とする編集システム。
【請求項５】
請求項３に記載の編集システムにおいて、
前記マーク付きネームデータにおいては、文字のサイズが原寸の画稿に適合するように指定されており、
前記マーク／タグ変換手段は、前記マーク付きネームデータにおいて指定されている文字のサイズに、拡大縮小率を乗じることにより得られた文字のサイズを、前記タグ付きネームデータにおける文字のサイズとすることを特徴とする編集システム。
【請求項６】
請求項３に記載の編集システムにおいて、
前記タグ付きネームデータにおけるタグの整合性をチェックし、タグの整合性が取れていない場合に、タグの整合性がとれるように新たなタグを追加するタグ整合化手段を更に備えることを特徴とする編集システム。
【請求項７】
請求項１に記載の編集システムにおいて、
画稿データをその画稿データが記載されるべきページに流し込む画稿流し込み手段を更に備え、
各ページには、前記画稿データ及び前記テキストボックスが流し込まれることを特徴とする編集システム。
【請求項８】
各段落のネームを構成する文字並びに各段落についての段落スタイルを指定するためのタグ及び少なくとも一部の文字についての文字属性を指定するためのタグが記述されたタグ付きネームデータを基に、各段落のネームを挿入するための各テキストボックスを作成し、タグを参照して文字属性及び行属性を付与しつつ前記各テキストボックスに各段落のネームの文字を挿入し、前記文字属性及び前記行属性を参照して前記各テキストボックスに挿入された各段落のネームがそのテキストボックスに縦横過不足無く収まるようにそのテキストボックスの大きさを調整し、各テキストボックスをそれに挿入されたネームが記載されるべきページに配置するネーム流し込みステップを備えることを特徴とする編集方法。
【請求項９】
請求項８に記載の編集方法において、
前記ネーム流し込みステップは、
前記テキストボックスの大きさを調整する際に、ルビ又は圏点を含まない行の行送り量を、当該行に含まれる最大サイズの文字のサイズに第１の所定の比率を乗じた量又は段落スタイルに記述されている行送り量とし、ルビ又は圏点を含む行の行送り量を、所定の場所に記述されている行送り量又はルビ若しくは圏点がない行の行送り量とすることを特徴とする編集方法。
【請求項１０】
請求項８に記載の編集方法において、
前記段落スタイルの内容が記述されたテンプレート及びマークとタグの対応関係が記述された変換テーブルを参照して、各段落のネームを構成する文字並びに少なくとも一部の段落についての段落スタイル名及び少なくとも一部の文字についての文字属性を指定するためのマークが記述されたマーク付きネームデータを、前記タグ付きネームデータに変換するマーク／タグ変換ステップを更に備えることを特徴とする編集方法。
【請求項１１】
請求項１０に記載の編集方法において、
前記マーク付きネームデータには、少なくとも一部の段落については、各段落の組方向を表すマークが記述されており、
前記マーク／タグ変換ステップは、前記組方向を表すマークを前記タグ付ネームデータに追加し、
前記ネーム流し込みステップは、前記組方向を表すマークに従って前記テキストボックスの組方向を設定することを特徴とする編集方法。
【請求項１２】
請求項１０に記載の編集方法において、
前記マーク付きネームデータにおいては、文字のサイズが原寸の画稿に適合するように指定されており、
前記マーク／タグ変換ステップは、前記マーク付きネームデータにおいて指定されている文字のサイズに、拡大縮小率を乗じることにより得られた文字のサイズを、前記タグ付きネームデータにおける文字のサイズとすることを特徴とする編集方法。
【請求項１３】
請求項１０に記載の編集方法において、
前記タグ付きネームデータにおけるタグの整合性をチェックし、タグの整合性が取れていない場合に、タグの整合性がとれるように新たなタグを追加するタグ整合化ステップを更に備えることを特徴とする編集方法。
【請求項１４】
請求項８に記載の編集方法において、
画稿データをその画稿データが記載されるべきページに流し込む画稿流し込み手段を更に備え、
各ページには、前記画稿データ及び前記テキストボックスが流し込まれることを特徴とする編集方法。
【請求項１５】
各段落のネームを構成する文字並びに各段落についての段落スタイルを指定するためのタグ及び少なくとも一部の文字についての文字属性を指定するためのタグが記述されたタグ付きネームデータを基に、各段落のネームを挿入するための各テキストボックスを作成し、タグを参照して文字属性及び行属性を付与しつつ前記各テキストボックスに各段落のネームの文字を挿入し、前記文字属性及び前記行属性を参照して前記各テキストボックスに挿入された各段落のネームがそのテキストボックスに縦横過不足無く収まるようにそのテキストボックスの大きさを調整し、各テキストボックスをそれに挿入されたネームが記載されるべきページに配置するネーム流し込みステップを備えることを特徴とする編集方法をコンピュータに行わせるためのプログラム。
【請求項１６】
請求項１５に記載のプログラムにおいて、
前記ネーム流し込みステップは、
前記テキストボックスの大きさを調整する際に、ルビ又は圏点を含まない行の行送り量を、当該行に含まれる最大サイズの文字のサイズに第１の所定の比率を乗じた量又は段落スタイルに記述されている行送り量とし、ルビ又は圏点を含む行の行送り量を、所定の場所に記述されている行送り量又はルビ若しくは圏点が内行の行送り量とすることを特徴とするプログラム。
【請求項１７】
請求項１５に記載のプログラムにおいて、
前記編集方法は、前記段落スタイルの内容が記述されたテンプレート及びマークとタグの対応関係が記述された変換テーブルを参照して、各段落のネームを構成する文字並びに少なくとも一部の段落についての段落スタイル名及び少なくとも一部の文字についての文字属性を指定するためのマークが記述されたマーク付きネームデータを、前記タグ付きネームデータに変換するマーク／タグ変換手段を更に備えることを特徴とするプログラム。
【請求項１８】
請求項１７に記載のプログラムにおいて、
前記マーク付きネームデータには、少なくとも一部の段落については、各段落の組方向を表すマークが記述されており、
前記マーク／タグ変換ステップは、前記組方向を表すマークを前記タグ付きネームデータに追加し、
前記ネーム流し込みステップは、前記組方向を表すマークに従って前記テキストボックスの組方向を設定することを特徴とするプログラム。    
【請求項１９】
請求項１７に記載のプログラムにおいて、
前記マーク付きネームデータにおいては、文字のサイズが原寸の画稿に適合するように指定されており、
前記マーク／タグ変換ステップは、前記マーク付きネームデータにおいて指定されている文字のサイズに、拡大縮小率を乗じることにより得られた文字のサイズを、前記タグ付きネームデータにおける文字のサイズとすることを特徴とするプログラム。
【請求項２０】
請求項１７に記載のプログラムにおいて、
前記タグ付きネームデータにおけるタグの整合性をチェックし、タグの整合性が取れていない場合に、タグの整合性がとれるように新たなタグを追加するタグ整合化ステップを更に備えることを特徴とするプログラム。
【請求項２１】
請求項１５に記載のプログラムにおいて、
前記編集方法は、画稿データをその画稿データが記載されるべきページに流し込む画稿流し込み手段を更に備え、
各ページには、前記画稿データ及び前記テキストボックスが流し込まれることを特徴とするプログラム。
【発明の詳細な説明】
【技術分野】
【０００１】
本発明は、原稿を基に印刷データや表示データを生成する編集システム及び編集方法に関し、特に、漫画の原稿を基に漫画の印刷データや表示データを生成する編集システム及び編集方法に関する。
【背景技術】
【０００２】
従来、漫画の原稿を基に漫画の印刷データや表示データを生成する場合には、漫画家や漫画プロダクションが制作した漫画原稿をイメージスキャナで読み込み、漫画原稿を電子データ化し、この電子データを基に印刷データや表示データを作成していた。そして、イメージスキャナで読み込む漫画原稿には、画稿のみならずネームも含まれ、従って、ネームも画稿と同様に画像として処理されていた。ここで、ネームとは、吹出し、説明文、ト書き、柱、脚注、表紙ページ等に挿入する文字のことである。
【０００３】
なお、本発明に関連する発明として、指定されたテキストボックスに指定されたテキストデータを流し込む発明がある（例えば、特許文献１）。また、各データを別々のレイヤに配置する発明がある（例えば、特許文献２、３）。更に、オブジェクトをドラッグ＆ドロップで移動する発明がある（例えば、特許文献４、５）。
【特許文献１】特開平７−１２１５５３号公報
【特許文献２】特開平９−２７００２０号公報
【特許文献３】特開平８−１６１５１９号公報
【特許文献４】特開平８−３２８８０８号公報
【特許文献５】特開平１０−２６１０７１号公報
【発明の開示】
【発明が解決しようとする課題】
【０００４】
従って、上述の従来の方法を用いると、コミックス印刷電子データや表示データ（ＰＤＦ形式の電子データ等）を作成するために、画像を縮小すると、ネームも縮小されてしまい、その結果、ネームの文字が潰れて不鮮明になってしまうという問題点があった。
【０００５】
また、画像を拡大すると、ネームも拡大されるので、ネームの文字のギザギザが目に付いてしまうという問題点があった。
【０００６】
更に、原稿をイメージスキャナで読み取った後に、ネームを修正したい場合があるが、上述の方法を用いると、読み取ったネームの修正したい部分を削除し、その部分に文字を追加する必要があり、手間がかかるという問題点があった。
【０００７】
更に、特許文献１で開示されている発明においては、テキストボックスは予め作成されており、この大きさを変えることは不可能である。特許文献１で開示されている発明によれば、テキストボックスに収まりきらないテキストがそのテキストボックスに流し込まれた場合には、スクロールバーが表示され、ユーザがスクロールバーを操作することにより、そのテキストボックスに流し込まれている全てのテキストを読むことができる。この発明による流し込み方法によれば、コンピュータ画面にテキストを表示する場合には問題がないが、紙面にテキストを印刷する場合には、一部の文字が印刷されないこととなり問題が生ずる。
【０００８】
例えば、データベースのアプリケーションプログラムのなかには、データベース中のテキストを印刷する場合に、テキストの文字数が１行当たりの印刷可能文字数を超えた場合には、折り返し印刷をするものもあるが、行数を増やすことはあっても、行方向の長さを調整することはない。また、テキストデータ中に改行があり、行方向の長さが余った場合であっても、行方向の長さを短くすることはない。
【０００９】
そこで、本発明は、画像を拡大又は縮小しても、ネームが常にきれいな状態を維持することを可能とする編集システム及び編集方法を提供することを目的とする。
【００１０】
また、本発明は、ネームの修正を容易とする編集システム及び編集方法を提供することを目的とする。
【００１１】
更に、本発明は、ネームを構成する文字が縦横過不足無くテキストボックスに収まるようにテキストボックスの大きさを調整する編集方法を提供することを目的とする。
【課題を解決するための手段】
【００１２】
本発明によれば、各段落のネームを構成する文字並びに各段落についての段落スタイルを指定するためのタグ及び少なくとも一部の文字についての文字属性を指定するためのタグが記述されたタグ付きネームデータを基に、各段落のネームを挿入するための各テキストボックスを作成し、タグを参照して文字属性及び行属性を付与しつつ前記各テキストボックスに各段落のネームの文字を挿入し、前記文字属性及び前記行属性を参照して前記各テキストボックスに挿入された各段落のネームがそのテキストボックスに縦横過不足無く収まるようにそのテキストボックスの大きさを調整し、各テキストボックスをそれに挿入されたネームが記載されるべきページに配置するネーム流し込み手段を備えることを特徴とする編集システムが提供される。
【００１３】
上記の編集システムにおいて、前記ネーム流し込み手段は、前記テキストボックスの大きさを調整する際に、ルビ又は圏点を含まない行の行送り量を、当該行に含まれる最大サイズの文字のサイズに第１の所定の比率を乗じた量又は段落スタイルに記述されている行送り量とし、ルビ又は圏点を含む行の行送り量を、所定の場所に記述されている行送り量又はルビ若しくは圏点がない行の行送り量としてもよい。
【００１４】
上記の編集システムは、前記段落スタイルの内容が記述されたテンプレート及びマークとタグの対応関係が記述された変換テーブルを参照して、各段落のネームを構成する文字並びに少なくとも一部の段落についての段落スタイル名及び少なくとも一部の文字についての文字属性を指定するためのマークが記述されたマーク付きネームデータを、前記タグ付きネームデータに変換するマーク／タグ変換手段を更に備えていてもよい。
【００１５】
上記の編集システムにおいて、前記マーク付きネームデータには、少なくとも一部の段落については、各段落の組方向を表すマークが記述されており、前記マーク／タグ変換手段は、前記組方向を表すマークを前記タグ付きネームデータに追加し、前記ネーム流し込み手段は、前記組方向を表すマークに従って前記テキストボックスの組方向を設定してもよい。  上記の編集システムにおいて、前記マーク付きネームデータにおいては、文字のサイズが原寸の画稿に適合するように指定されており、前記マーク／タグ変換手段は、前記マーク付きネームデータにおいて指定されている文字のサイズに、拡大縮小率を乗じることにより得られた文字のサイズを、前記タグ付きネームデータにおける文字のサイズとするようにしてもよい。
【００１６】
上記の編集システムは、前記タグ付きネームデータにおけるタグの整合性をチェックし、タグの整合性が取れていない場合に、タグの整合性がとれるように新たなタグを追加するタグ整合化手段を更に備えていてもよい。
【００１７】
上記の編集システムは、画稿データをその画稿データが記載されるべきページに流し込む画稿流し込み手段を更に備え、各ページには、前記画稿データ及び前記テキストボックスが流し込まれてもよい。
【発明の効果】
【００１８】
本発明によれば、ネームの文字を画像として表すのではなく、文字コードと文字属性（ベクトルフォントの指定を含む）とベクトルフォントにより表しているので、単行漫画本（所謂コミック本）のように、小さい紙を用いた本に印刷をした場合であっても、文字が潰れて読みにくくなるということを防止することができる。また、ポスターのように、大きい紙に印刷した場合であっても、文字がギザギザとなり美観が損なわれるということを防止することができる。
【００１９】
また、本発明によれば、ネームの文字を画像として表すのではなく、文字コードと文字属性（ベクトルフォントの指定を含む）とベクトルフォントにより表しているので、ネームの修正作業をワードプロセッサを用いた場合と同様に行うことができるので、ネームの修正作業が容易となる。
【００２０】
更に、本発明によれば、テキストボックスに挿入するネームが縦横過不足無く収まるようにテキストボックスの大きさが調整されるので、作業者が手作業でテキストボックスの大きさを調整する手間を省くことができる。テキストボックスをドラッグ＆ドロップにより印刷範囲外の領域から吹出しの内部に移動する場合、テキストボックスの枠は表示されるが、テキストボックスの内部に挿入されている文字は表示されない。従って、テキストボックスの枠が大きすぎると、テキストボックスの内部の文字が吹出しにすっぽりと収まるようにテキストボックスを正確に吹出しの内部に移動することができなくなってしまう。また、テキストボックスの枠が小さすぎると、テキストボックスに挿入した文字の一部が表示されなくなってしまう。従って、テキストボックスに挿入された全ての文字がテキストボックスに過不足内収まるようにテキストボックスの大きさを調整することが必要であるが、本発明ではこの発明を自動的に行う。
【００２１】
また、ネーム入力の際にタグを付けるのではなく、ネーム入力の際にタグの代わりにマークを付け、マーク／タグ変換部によりマークをタグに変換するので、作業者は入力が煩わしいタグを付ける必要がなくなり、代わりに、入力が容易なマークを付ければよいこととなる。
【００２２】
更に、本発明によれば、前記テキストボックスの大きさを調整する際に、ルビ又は圏点を含まない行の行送り量を、当該行に含まれる最大サイズの文字のサイズに第１の所定の比率を乗じた量とし、ルビ又は圏点を含む行の行送り量を、当該行に含まれる最大サイズの文字（ルビ又は圏点を除く）のサイズに前記第１の所定の比率よりも大きい第２の所定の比率を乗じた量とするので、ルビ又は圏点を含む行間のサイズを手作業で入力する必要が無くなる。
【００２３】
更に、本発明によれば、マーク付きネームデータには、少なくとも一部の段落については、各段落の組方向を表すマークが記述されており、マーク／タグ変換手段は、組方向を表すマークをタグ付きネームデータに追加し、ネーム流し込み手段は、組方向を表すマークに従ってテキストボックスの組方向を設定するので、組方向を手作業で入力する必要が無くなる。  更に、本発明によれば、前記マーク付きネームデータにおいては、文字のサイズが原寸の画稿に適合するように指定されており、前記マーク／タグ変換手段は、前記マーク付きネームデータにおいて指定されている文字のサイズに、拡大縮小率を乗じることにより得られた文字のサイズを、前記タグ付きネームデータにおける文字のサイズとする。ネーム原稿においては、文字のサイズは原寸の画稿に適合するように指定されているので、ネーム入力の作業において、文字のサイズをネーム原稿で指定されている通りに指定すればよいこととなる。これは、ネーム入力の作業において、文字のサイズをネーム原稿で指定されている値に拡大縮小率を掛けた値にする場合と比較して、作業が軽減され、間違いも生じにくくなる。
【００２４】
更に、本発明は、タグ付きネームデータにおけるタグの整合化を行うタグ整合化手段を備えるので、ネーム流し込み部によるネーム流し込みの最中にその処理が中断されてしまうということを防止することができる。
【発明を実施するための最良の形態】
【００２５】
以下、図面を参照して本発明を実施するための最良の形態について詳細に説明する。
【００２６】
以下、図面を参照して本発明の実施形態について詳細に説明する。
【００２７】
図１は、本発明の実施形態による編集システムの構成を示すブロック図である。
【００２８】
テンプレート作成１０７は、作業者により行われる。テンプレート作成１０７により作成されたテンプレート１０８は、レイヤ構造を有する。あるレイヤには画稿が割り当てられ、あるレイヤにはネームが割り当てられ、あるレイヤには柱（ページの縁に記載される文字等からなる部分。例えば、広告柱等。）が割り当てられる。画稿のレイヤのテンプレート１０８には、フレーム（ページ内の全コマが収まる範囲を示すもの）等が記述される。ネームのレイヤのテンプレート１０８には、段落スタイル（段落におけるディフォルトの通常文字の級数（フォントサイズ）、フォント、行間隔、文字間隔、ルビの大きさ、ルビのフォント、ルビの種類、圏点の大きさ、圏点のフォント、文字の色等）が記述される。なお、ディフォルトの通常文字の級数、ルビの大きさ及び圏点の大きさは、原寸に拡大縮小率を掛けた級数で指定する。ここで、原寸とは、原寸の画稿１０４に当てはめる場合の寸法（級数等）のことである。また、拡大縮小率とは、編集済文書データ１２２の大きさを原寸の画稿１０４の大きさで除算して得られる値のことである。ここでいう段落とは、１つの吹出しに挿入される文字全体の集合である。１つの吹出しに複数の段落が挿入されている場合には、その吹出しは段落毎に複数の吹出しに分割されているとみなす。ネームの１レイヤに対し複数の段落スタイルを記述することが可能である。従って、ある吹出に段落スタイルＡを適用し、ある吹出しに段落スタイルＢを適用し、ある段落に段落スタイルＣを適用するということが可能となる。柱のレイヤのテンプレート１０８には、柱を挿入するべきフレーム等が記述される。
【００２９】
環境ファイル作成１０９においては、テンプレート１０８を基に環境ファイル１１０を作成する。
【００３０】
環境ファイル１１０には、（１）画稿データをどのレイヤに流し込むべきであるかについての情報、（２）ネームデータをどのレイヤに流し込むべきであるかについての情報、（３）コマノンブル（作品毎のページ番号）の要不要、コマノンブルが必要である場合のコマノンブルの段落スタイル、コマノンブルが必要である場合のコマノンブルを流し込むべきレイヤについての情報、（４）ディフォルトで用いる段落スタイルについての情報、（５）拡大縮小率についての情報、（６）ルビ及び圏点の行送り量、（７）基本組方向等が記述される。
【００３１】
柱原稿１０１は、漫画家、漫画プロダクション又は出版社等が作成したものであり、スキャナ読み取り１０２により、柱原稿１０１より柱データ１０３を作成する。スキャナ読み取り１０５の際には、上述した拡大縮小率で柱原稿１０１を読み取るので、柱データ１０３の寸法は、仕上がりサイズ（編集済み文書データ１２２におけるサイズ）である。柱データ１０３は、ＴＩＦＦ、ＥＰＳ等の所定のフォーマットで記述される。
【００３２】
画稿１０４は、漫画家又は漫画プロダクション等が作成したものである。スキャナ読み取り１０５により、画稿１０４より画稿データ１０６を作成する。スキャナ読み取り１０５の際には、上述した拡大縮小率で画稿１０４を読み取るので、画稿データ１０６の寸法は、仕上がりサイズ（編集済み文書データ１２２におけるサイズ）である。画稿データ１０６は、ＴＩＦＦ、ＥＰＳ等の所定のフォーマットで記述される。画稿１０４においては、吹出しの内部は空白である場合もあるし、空白でない場合もある。鉛筆書きのネームが消されないで残っている場合等に吹出しの内部は空白でなくなる。いずれの場合にも、スキャナ読取り１０５をした後に、吹出しの内部及びその他の部分に存在する不要データを画像処理ソフトを用いて消去する。
【００３３】
ネーム原稿１１３は、漫画家又は漫画プロダクション等が作成したものである。ネーム原稿１１３には、１作品の各吹出しに挿入するべき段落のネーム、注釈、柱、表紙のタイトル等が記載されている。また、段落毎に作品内での記載ページも記載されている。更に、段落毎に、ネームが吹出しの形状に収まるように各行の文字数が調整されている。更に、段落毎に段落で用いる段落スタイルの名称が記述されている。更に、段落スタイルで指定された属性（例えば級数）以外の属性を用いる文字については、その属性が記述されている。また、ネーム原稿においては、各文字の大きさが原寸で指定されている。
【００３４】
ネーム入力１１４においては、作業者がネーム原稿１１３を基にキーボード等を用いてネームを入力し、マーク付きネームデータ１１５を生成する。マーク付きネームデータ１１５においては、バイナリ形式で見た場合には各文字は文字コード（例えばＪＩＳコード、ＡＳＣＩＩコード）により表されるが、画面上では各文字は文字そのもので表される。段落毎に作品内におけるページ番号をネームの開始を示すマークに続くページ番号の数字により指定する。但し、段落毎に段落を挿入するべき吹出しを指定することはしない。また、段落毎に段落開始及び段落終了のマークを挿入する。更に、段落毎に段落に適用する段落スタイルを段落スタイル記述開始を表すマークに続く段落スタイルの名称により記述する。こうすることにより、各段落には、段落スタイルで指定された通常文字の級数、フォント、行間隔、文字間隔、ルビの大きさ、ルビのフォント、ルビの種類、圏点の大きさ、圏点のフォント、文字の色等がディフォルトで適用される。また、各段落が複数行より成る場合には、行が終了する度に改行をする。この結果、マーク付きネームデータ１１５にはキャリッジリターン及びラインフィードのコードが挿入される。一部の文字又は行について、段落スタイルで指定された通常文字の級数、フォント、行間隔、ルビの種類、等以外の通常文字の級数、フォント、行間隔、ルビの種類、等を用いたい場合には、連続する文字グループ毎又は連続する行グループ毎にその値をマークにより指定する。また、圏点の種類は、段落スタイルでは指定しないが、マークで指定できる。なお、テンプレートの場合と同様に、通常文字の級数、ルビの大きさ及び圏点の大きさは、原寸で指定する。この原寸での大きさはネーム原稿１１３に記述されている。
【００３５】
なお、原則としては、段落毎に段落に適用する段落スタイルをマークにより記述するが、ディフォルトで用いる段落スタイルを作品毎に決めておいて、ディフォルトの段落スタイルを適用する段落については、段落スタイルを記述しないようにしてもよい。こうすることにより、ネーム入力の労力を低減することができる。
【００３６】
更に、ネーム入力１１４においては、外字を挿入する場合には、外字挿入のためのマークを挿入する。ルビについては、ルビのマークを挿入する。圏点については、圏点のマークを挿入する。
【００３７】
また、ネーム入力１１４においては、各段落の組方向を示すマークをマーク付きネームデータ１１５に挿入する。但し、環境ファイル１１０で指定されたディフォルトの組方向を有する段落については、その段落の組方向を示すマークを挿入しなくても良い。マーク／タグ変換部１１７は、組方向を示すマークをタグ付きネームデータ１１８にタグ付ネームデータ１１８を修飾するデータとして追加するが、マーク付きネームデータ１１５において組方向のマークが記述されていない段落については、ディフォルトの組方向をタグ付きネームデータ１１８に追加する。  
【００３８】
変換テーブル１１６は、マークとタグの対応関係を保持する。ここでいうタグは、ネーム流し込み部１１９が認識できるタグである。変換テーブル１１６は、例えば、ネームの開始を表すマークとネームの開始を表すタグとの対応関係等を保持する。
【００３９】
図２に変換テーブル１１６の具体例を示す。各行の墨付き括弧及びその中の「＝」より成る３文字は、マークとタグの区切りを示し、この区切りの左側に記載されている文字列がマークであり、この区切りの右側に記載されている文字列がタグである。
【００４０】
例えば、番号２が付されている行を参照すると、区切りの右側に記載されている「｛ルビ起｝」というタグは、ルビを開始するためのタグであり、ネーム流し込み部１１９はこのタグをルビを開始するためのタグとして認識することができる。そして、区切りの左側に記載されている「＜◇１＞」というマークは、「｛ルビ起｝」というタグに変換されるべきマークである。
【００４１】
ネーム入力の段階でネームデータにタグを挿入することも考えられる。しかし、タグは、人間が扱うことが困難な無機質な長い文字列であるので、タグの代わりに、人間が扱いやすいマークをタグの代わりにネームデータに挿入する。変換テーブルは、全ての漫画について共通であってもよいが、共通である必要はなく、各作品毎に異なっていても良い。すなわち、その作品で利用するタグが網羅されていればよい。そして、各タグに対応するマークは自由に定義して良い。そして、定義されたマークを利用してマーク付きネームデータを作成すればよい。
【００４２】
マーク／タグ変換部１１７は、テンプレート１０８及び変換テーブル１１６を参照して、マーク付きネームデータ１１５を基にタグ付きネームデータ１１８を生成する。
【００４３】
より詳しく説明すると、マーク／タグ変換部１１７は、変換テーブル１１６を参照して、各マークをそれに対応するタグに変換して、タグ付きネームデータ１１８を生成する。また、マーク／タグ変換部１１７は、テンプレート１０８から読み込んだ段落スタイルのうちの使用される段落スタイルの全項目の値を段落スタイル毎に段落スタイルの名称に関連付けてタグ付きネームデータ１１８の先頭に記述する。但し、項目の値のうちネーム流し込み部１１９でディフォルトとされている値は記述しない。タグ付きネームデータ１１８においては、各段落に適用する段落スタイルの名称が各段落に記述される。
【００４４】
ディフォルトで用いる段落スタイルを作品毎に決めておいて、マーク付きネームデータ１１５においては、ディフォルトの段落スタイルを適用する段落については、段落スタイルを記述しないようにしておいた場合であっても、タグ付きネームデータ１１８においては、ディフォルトの段落スタイルを適用する段落についても、その段落に適用する段落スタイルの名称を記述する。
【００４５】
また、マーク／タグ変換部１１７による変換の結果、タグ付きネームデータ１１８においては、文字又は行について段落スタイルで指定された通常文字の級数、フォント、行間隔、ルビの種類等以外の通常文字の級数、フォント、行間隔、ルビの種類等を用いる場合には、連続する文字グループ毎又は連続する行グループ毎にその値をタグで指定することとなる。
【００４６】
すなわち、各段落の各文字には、段落に割り当てられた段落スタイルで指定される通常文字の級数、フォント、行間隔、ルビの種類等が基本的に割り当てられるが、通常文字の級数、フォント、行間隔、ルビの種類等が指定されている文字又は行毎には、その指定されたものが優先して割り当てられる。
【００４７】
また、圏点の種類は、マークで指定されたものとする。
【００４８】
また、タグ付きネームデータ１１８では、各段落毎に組方向がマークで指定される。
【００４９】
ここで、マーク付きネームデータ１１５及びテンプレート１０８においては、通常文字の級数は、原寸で指定していた。また、テンプレートにおいてルビの大きさ及び圏点の大きさを指定していた。マーク／タグ変換部１１７は、環境ファイル１１０から拡大縮小率を読み出して、原寸に拡大縮小率を乗算することにより、仕上がりの（編集済み文書データ１２２における）通常文字の級数を得る。また、通常文字の級数に通常文字に対するルビ又は圏点の相対的な大きさを掛けることにより、ルビの大きさ及び圏点の大きさを得る。そして、マーク／タグ変換部１１７は、仕上がりの通常文字の級数、ルビの大きさ及び圏点の大きさをタグ付きネームデータ１１８に挿入する。
【００５０】
タグ整合化部１２９は、タグ付きネームデータ１１８のタグの整合性をチェックし、タグの整合性が取れていない場合に、タグの整合性がとれるように新たなタグを追加する。ここで、タグの整合性が取れていないとは、同一種類のタグがネスト構造を構成していることをいう。例えば、
＜サイズ１８＞＜斜体４０゜＞あ＜／斜体＞＜／サイズ＞
は、異なった種類のタグがネスト構造を構成しているが、同一種類のタグがネスト構造を構成していないので、タグの整合性は取れている。また、
＜サイズ１８＞＜斜体４０゜＞あ＜／サイズ＞＜／斜体＞
は、各種類の起しタグと閉じタグの間に他の種類のタグが挿入されているが、同一種類のタグがネスト構造を構成していないので、タグの整合性は取れている。一方、
＜サイズ１８＞あ＜サイズ９＞い＜／サイズ＞う＜／サイズ＞
は、同一種類のタグがネスト構造を構成しているので、タグの整合性は取れていない。上記の記述を、
＜サイズ１８＞あ＜／サイズ＞＜サイズ９＞い＜／サイズ＞＜サイズ１８＞う＜／サイズ＞
に訂正すれば、タグの整合性が取れるようになる。タグ整合化部１２９は、タグの整合性が取れていない場合に、このような訂正を行うことにより、タグの整合化を行う。
【００５１】
タグ整合化部１２９の動作について図３及び４を参照して説明する。
【００５２】
図３を参照すると、まず、サイズ起しタグをカウントするためのサイズ起しタグをゼロにリセットし（ステップＳ３６１）、サイズ閉じタグをカウントするためのサイズ閉じタグをゼロにリセットし（ステップＳ３６３）、書体起しタグをカウントするための書体起しタグをゼロにリセットし（ステップＳ３６５）、書体閉じタグをカウントするための書体閉じタグをゼロにリセットし（ステップＳ３６７）、行送り起しタグをカウントするための行送り起しタグをゼロにリセットし（ステップＳ３６９）、行送り閉じタグをカウントするための行送り閉じタグをゼロにリセットする（ステップＳ３７１）。
【００５３】
次に、タグ付ネームデータ中の全文字について、タグ修正処理（ステップＳ３７５）を繰り返す（ステップＳ３７３）。
【００５４】
図４は、タグ修正処理（ステップＳ３７５）の詳細な内容を示すフローチャートである。図４を参照すると、まず、現在の文字を基準にして、サイズタグ（サイズ起しタグ又はサイズ閉じタグ）が検出されたか否かを判断する（ステップＳ４０１）。
【００５５】
サイズタグが検出された場合には（ステップＳ４０１でＹＥＳ）、検出されたサイズタグがサイズ起しタグであるか又はサイズ閉じタグであるかを判断する（ステップＳ４０３）。サイズ起しタグである場合には、サイズ起しタグカウンタの値を１だけ増加させる（ステップＳ４０５）。サイズ閉じタグである場合には、サイズ閉じタグカウンタの値を１だけ増加させる（ステップＳ４０７）。
【００５６】
次に、サイズ起しタグカウンタの値からサイズ閉じタグカウンタの値を差し引いて得た値が１を超えるか否かを判断する（ステップＳ４０９）。これは、サイズ起しタグが２以上連続しているか否かを判断することと等価である。そうであれば（ステップＳ４０９でＹＥＳ）、現在のサイズ起しタグの前にサイズ閉じタグを挿入し（ステップＳ４１１）、サイズ閉じタグカウンタの値を１だけ増加させる（ステップＳ４１３）。
【００５７】
次に、サイズ閉じタグカウンタの値からサイズ起しタグカウンタの値を差し引いて得た値が１を超えるか否かを判断する（ステップＳ４１５）。これは、サイズ閉じタグが２以上連続しているか否かを判断することと等価である。そうであれば（ステップＳ４１５でＹＥＳ）、１つ前のサイズ閉じタグの後にサイズ起しタグを挿入し（ステップＳ４１７）、サイズ起しタグカウンタの値を１だけ増加させる（ステップＳ４１９）。ステップＳ４１７で挿入する起しタグのパラメータは、その起しタグと同一のネスト深さの前出した起しタグのパラメータと同一とする。
【００５８】
サイズタグが検出されなかった場合には、（ステップＳ４０１でＮＯ）、現在の文字を基準にして、書体タグ（書体起しタグ又は書体閉じタグ）が検出されたか否かを判断する（ステップＳ４２１）。
【００５９】
書体タグが検出された場合には（ステップＳ４２１でＹＥＳ）、ステップＳ４２３乃至Ｓ４３９を行う。ステップＳ４２３乃至４３９は、ステップＳ４０３乃至Ｓ４１９と同様であり、サイズ起しタグが書体起しタグに変更され、サイズ閉じタグが書体閉じタグに変更され、サイズ起しタグカウンタが書体起しタグカウンタに変更され、サイズ閉じタグカウンタが書体閉じタグカウンタに変更された点のみが異なるので、この説明を省略する。
【００６０】
書体タグが検出されなかった場合には、（ステップＳ４２１でＮＯ）、現在の文字を基準にして、行送りタグ（行送り起しタグ又は行送り閉じタグ）が検出されたか否かを判断する（ステップＳ４４１）。
【００６１】
行送りタグが検出された場合には（ステップＳ４４１でＹＥＳ）、ステップＳ４４３乃至Ｓ４５９を行う。ステップＳ４４３乃至４５９は、ステップＳ４０３乃至Ｓ４１９と同様であり、サイズ起しタグが行送り起しタグに変更され、サイズ閉じタグが行送り閉じタグに変更され、サイズ起しタグカウンタが行送り起しタグカウンタに変更され、サイズ閉じタグカウンタが行送り閉じタグカウンタに変更された点のみが異なるので、この説明を省略する。
【００６２】
図１に戻り、画稿・コマノンブル流し込み部１１１は、画稿データ１０６を流し込むべき開始ページの作業者による指定及び画像データを流し込むべきレイヤの環境ファイル１１０による指定に従って、テンプレート１０８の当該レイヤの当該ページに画稿データ１０６を流し込む。また、画稿・コマノンブル流し込み部１１１は、コマノンブルも同様に流し込む。画稿データ１０６は、テンプレート１０８の上述したフレーム内に流し込まれる。一方、コマノンブルは、印刷範囲外の領域に流し込まれる。印刷することが必要なコマノンブルは、後の工程（例えば、ＤＴＰ作業１２１）で印刷範囲に移動される。こうして、画稿及びコマノンブルを含んだ未編集文書データ１１２が生成される。
【００６３】
ネーム流し込み部１１９は、ネームを流し込むべき開始ページの作業者による指定及びネームを流し込むべきレイヤの環境ファイル１１０による指定に従って、テンプレート１０８の当該レイヤの当該ページにネームを流し込む。このとき、ネームは各吹出部に配置されるのではない。図５に示すように、印刷範囲外に段落毎（吹出し毎）にテキストボックス２０１が作成され、各吹出し２０２に挿入するべきネームが各テキストボックス２０１に挿入される。テキストボックス２０１の大きさは、従来技術と異なり、一定の大きさではなく、対応する段落内のネームの全文字が縦横過不足無く収まるように算出された大きさである。
【００６４】
次に、ネーム流し込み部１１９により行われるテキストボックスの大きさの算出の方法について図６を参照して説明する。
【００６５】
まず、変数である「作品ページ番号」を１に初期化する（ステップＳ３０１）。次に、変数である「絶対ページ番号」をネームを流し込むべき開始ページの番号に初期化する（ステップＳ３０２）。
【００６６】
次に、タグ付きネームデータ１１８内の全ての段落についてステップＳ３０４〜Ｓ３０７を繰り返す（ステップＳ３０３）。ステップＳ３０４では、段落のページ番号のタグにより示される段落のページ番号が「作品ページ番号」に等しいか否かを判断する。ステップＳ３０４の判断結果が否定的であれば、次の段落に進む。
【００６７】
ステップＳ３０４の判断結果が肯定的であれば、現在の「絶対ページ番号」のページの印刷範囲外の領域にマークで指定された組方向を有するテキストボックスを１つ生成する（ステップＳ３０５）。
【００６８】
次に、ステップＳ３０５で生成したテキストボックスに現在の段落のネームをマークで指定された組方向に従って流し込む（ステップＳ３０６）。流し込みの際には、タグに従って文字及び行に属性（通常文字の級数、フォント、行間隔、文字間隔、ルビの大きさ、ルビのフォント、ルビの種類、圏点の大きさ、圏点のフォント、文字の色等）を設定する。従って、画面上の表示も文字の属性に従った表示となる。流し込みの後には、タグは消滅しており、タグに含まれていた情報は文字及び行の属性であってこの情報を反映するものに移動する。
【００６９】
次に、ステップＳ３０５で生成したテキストボックスにステップＳ３０６で流し込んだネームの全文字が縦横過不足無く収まるようにテキストボックスの大きさを調整する（ステップＳ３０７）。ステップＳ３０７の詳細については後述する。
【００７０】
全段落についての処理を終了したならば、「作品ページ番号」を１だけ増加させる（ステップＳ３０８）。次に、増加後の「作品ページ番号」が作品ページ数を超えているか否かを判断する（ステップＳ３０９）。ステップＳ３０９の判断結果が肯定的であれば、処理を終了する。
【００７１】
ステップＳ３０９の判断結果が否定的であれば、「絶対ページ番号」を１だけ増加させ（ステップＳ３１０）、ステップＳ３０３に戻る。
【００７２】
このようにして、各ページの印刷範囲外の領域に、そのページの吹出しに挿入するべき全てのネームの段落を含んだテキストボックスが配置される。
【００７３】
次に、上述したステップＳ３０７の詳細について図７及び８を参照して説明する。
【００７４】
ステップＳ３１１〜Ｓ３１９では、テキストボックスの行方向の長さを求め、ステップＳ３２０〜Ｓ３２６では、テキストボックスの列方向の長さを求める。縦組の場合には、行方向は縦方向であり、列方向は横方向である。横組の場合には、行方向は横方向であり、列方向は、縦方向である。
【００７５】
まず、全ての行ｌ（エル）についてステップＳ３１２〜Ｓ３１８を繰り返す（ステップＳ３１１）。
【００７６】
ステップＳ３１２では、現在の行の長さ［ｌ］をゼロに初期化する。次に、現在の行内の全ての文字についてステップＳ３１４及びＳ３１５を繰り返す（ステップＳ３１３）。
【００７７】
ステップＳ３１４では、現在の文字の属性を基に現在の文字のサイズを取得する。次に、現在の行の長さ［ｌ］にステップＳ３１４で取得した現在の文字のサイズを加算する（ステップＳ３１５）。
【００７８】
現在の行内の全ての文字についての繰返しを終了したならば、行内の全ての文字境界についてステップＳ３１７及びＳ３１８を繰り返す（ステップＳ３１６）。
【００７９】
ステップＳ３１７では、文字境界に隣接する文字の属性を基に現在の文字境界の文字間隔のサイズを取得する。次に、現在の行の長さ［ｌ］にステップＳ３１７で取得した現在の文字間隔のサイズを加算する（ステップＳ３１８）。
【００８０】
現在の行内の全ての文字境界についての繰返しを終了したならば、ステップＳ３１２に戻り、次の行についての処理を行う。
【００８１】
全ての行ｌについての繰返し（ステップＳ３１１）を終了したならば、全ての行の長さ（行の長さ［１］、行の長さ［２］、・・・、行の長さ［行数］）のうちの最大値をテキストボックスの行方向の長さとする（ステップＳ３１９）。
【００８２】
次に、テキストボックスの列方向の長さを０の初期化する（ステップＳ３２０）。次に、段落の全ての行についてステップＳ３２２及びＳ３２３を繰り返す（ステップＳ３２１）。
【００８３】
ステップＳ３２２では、行内の各文字の属性を基に行内の最大文字のサイズを取得する。次に、テキストボックスの列方向の長さにステップＳ３２２で取得した行内の最大文字のサイズを加算する（ステップＳ３２３）。
【００８４】
全ての行についての繰り返し（ステップＳ３２１）を終了したならば、全ての行間についてステップＳ３２５及びＳ３２６を繰り返す（ステップＳ３２４）。
【００８５】
ステップＳ３２５では、段落スタイルの設定内容、環境ファイルの設定内容、行の属性及びルビ又は圏点の有無を基に現在の行間のサイズを計算する。
【００８６】
具体的には、段落スタイルには、ルビ又は圏点が無い行についての行送り量が、その数値そのもの又は当該行にある最大サイズの文字を基準としたパーセント（１００％）で二者択一的に記述されている。段落スタイルには、ルビ又は圏点がある行についての行送り量についての記述は無い。
【００８７】
一方、環境ファイルには、ルビ又は圏点がある行についての行送り量がその数値そのもので記述されている場合があるが、記述されていない場合もある。環境ファイルには、ルビ又は圏点が無い行についての行送り量についての記述は無い。
【００８８】
段落スタイルに、ルビ又は圏点が無い行についての行送り量が当該行にある最大サイズの文字を基準としたパーセント（例えば１００％）で記述されている場合には、ルビ又は圏点が無い行については、行送り量を、当該行の最大サイズの文字のサイズに段落スタイルに記述されているパーセント（例えば１００％）を乗じた量とする。
【００８９】
一方、段落スタイルに、ルビ又は圏点が無い行についての行送り量がその量そのもので記述されている合には、ルビ又は圏点が無い行については、行送り量を、その量とする。
【００９０】
また、環境ファイル１１０に、ルビ又は圏点がある行についての行送り量が記述されている場合には、ルビ又は圏点がある行については、行送り量を、環境ファイル１１０に記述されている行送り量とする。
【００９１】
一方、環境ファイル１１０に、ルビ又は圏点がある行についての行送り量が記述されていない場合には、ルビ又は圏点がある行については、行送り量を、ルビ又は圏点がない行の行送り量（上述の２通りの方法のうちの何れかの方法により定まった行送り量）と同一とする。
【００９２】
次に、テキストボックスの列方向の長さにステップＳ３２４で取得した行間のサイズを加算する（ステップＳ３２６）。
【００９３】
全ての行間についての繰返し（ステップＳ３２４）を終了したときのテキストボックスの列方向の長さが最終的に求まるテキストボックスの列方向の長さである。
【００９４】
このようにして、ネーム流し込み部１１９により画稿、コマノンブル及びネームを含む未編集文書データ１２０が生成される。
【００９５】
この未編集文書データ１２０に対してはＤＴＰ作業１２１が作業者により行われる。ＤＴＰ作業１２１では、柱データ１０３が未編集文書データ１２０に追加される。また、印刷範囲外の領域に配置されているテキストボックスが吹出し内にドラッグ＆ドロップにより移動される。更に、印刷範囲外の領域に配置されているコマノンブルのうち印刷することが必要なものが印刷領域内の希望の場所にドラッグ＆ドロップにより移動される。更に、修正が必要なネームがワードプロセッサを用いて作業（文字削除作業、文字追加作業、文字属性変更作業、行属性変更作業等）を行う場合と同様な方法により修正される。このようにして、編集済文書データ１２２が生成される。編集済文書データ１２２を表示した例を図１０に示す。
【００９６】
漫画雑誌印刷データ作成部１２３は、編集済文書データ１２２を基に、漫画雑誌印刷データ１２４を作成する。単行漫画本印刷データ作成部１２５は、編集済文書データ１２２を基に、単行漫画本印刷データ１２６を作成する。電子漫画本表示データ作成部１２７は、編集済文書データ１２２を基に、電子漫画本表示データ１２８を作成する。
【００９７】
漫画雑誌印刷データ作成部１２３及び単行漫画本印刷データ作成部１２５は、ネームの文字については、文字属性で指定された名称のベクトルフォントを使用してそれぞれ漫画雑誌印刷データ１２４、単行漫画本印刷データ１２６を生成する。
【００９８】
電子漫画本表示データ作成部１２７は、電子漫画本表示データ１２８に、電子漫画本表示装置（図示せず。ＰＤＦリーダ等）がベクトルフォントを表示するために必要なベクトルフォントの名称を各文字について埋め込む。また、電子漫画本表示装置がベクトルフォントを備えていない場合を考慮して、電子漫画本表示データ１２８にベクトルフォントを埋め込んでもよい。
【００９９】
なお、画稿・コマノンブル流し込み部１１１、マーク／タグ変換部１１７、ネーム流し込み部１１９、漫画雑誌印刷データ作成部１２３、単行漫画本印刷データ作成部１２５、電子漫画本表示データ作成部１２７及びタグ整合化部１２９は、コンピュータをこれらの部分として機能させるためのプログラムをコンピュータが読み込んで実行することによって実現することもでき、また、ハードウェアによって実現することもでき、これらの混合によって実現することもできる。
【産業上の利用可能性】
【０１００】
本発明は、漫画等を印刷又は表示するためのデータを作成するために利用することができる。
【図面の簡単な説明】
【０１０１】
【図１】本発明の実施形態による編集システムの構成を示すブロック図である。
【図２】変換テーブルの内容例を示す図である。
【図３】タグ整合化部の動作を示す第１のフローチャートである。
【図４】タグ整合化部の動作を示す第２のフローチャートである。
【図５】本発明の実施形態による編集システムにより作成された画稿、コマノンブル及びネームを含んだ未編集文書データの表示例を示す図である。
【図６】ネーム流し込み部の動作を示すフローチャートである。
【図７】図６に示すテキストボックスの大きさの調整のステップの詳細な動作を示す第１のフローチャートである。
【図８】図６に示すテキストボックスの大きさの調整のステップの詳細な動作を示す第２のフローチャートである。
【図９】本発明の実施形態による編集システムにより作成された編集済文書データの表示例を示す図である。
【符号の説明】
【０１０２】
１０８  テンプレート
１１１  画稿・コマノンブル流し込み部
１１５  マーク付きネームデータ
１１６  変換テーブル
１１７  マーク／タグ変換部
１１８  タグ付きネームデータ
１１９  ネーム流し込み部
１２９  タグ整合化部
【図１】
2005004738.tif 000003
【図２】
2005004738.tif 000004
【図３】
2005004738.tif 000005
【図４】
2005004738.tif 000006
【図５】
2005004738.tif 000007
【図６】
2005004738.tif 000008
【図７】
2005004738.tif 000009
【図８】
2005004738.tif 000010
【図９】
2005004738.tif 000011